(57)【要約】【課題】金属箸に滑り止め効果を持たせることで、持ち易く、しかも食物を挟み取り易くすることができる箸の構造の提供。【解決手段】箸の構造は、金属箸１０を備え、金属箸１０はステンレス材質で、金属箸１０の握り持ち区域には複数の凹槽部１１を設置し、凹槽部１１には滑り止め部品１２を設置し、滑り止め部品１２は耐熱高分子材料で、モールドにより射出成型し、或いはモールド熱プレス成型により凹槽部１１を形成し、滑り止め部品１２は金属箸１０の同一横方向断面上において局部に設置され、或いは隣接する滑り止め部品１２間には相互に間隙を備え、金属箸１０の挟み取り区域にはアーク放電の方式により形成する複数の突出顆粒１３を設置し、金属箸１０に、使用における滑り止め効果を持たせ、持ち易くし、しかも滑り易く食物を挟み取り難いという欠点を改善し、実用性、安全性、質感を理想的な程度まで高めることができる。【選択図】図１
0003165930.tif 000002
【実用新案登録請求の範囲】
【請求項１】
金属箸を備え、前記金属箸は、ステンレス材質で、
前記金属箸の握り持ち区域には、複数の凹槽部を設置し、前記凹槽部には、滑り止め部品を設置し、
前記滑り止め部品は、耐熱高分子材料で、モールドにより射出成型し、或いはモールド熱プレス成型により前記凹槽部を形成し、
前記滑り止め部品は、前記金属箸の同一横方向断面上において、局部に設置され、或いは隣接する滑り止め部品間には相互に間隙を備えることを特徴とする箸の構造。
【請求項２】
請求項１記載の箸の構造において、前記金属箸の握り持ち区域は、方形を呈し、
前記凹槽部は、縦方向の棒状を呈し、前記金属箸の方形部分の角に形成することを特徴とする箸の構造。
【請求項３】
請求項１記載の箸の構造において、前記金属箸の挟み取り区域には、アーク放電の方式により形成する複数の突出顆粒を設置し、
前記金属箸の頂点端には、斜め切り部分を備えることを特徴とする箸の構造。
【請求項４】
請求項１記載の箸の構造において、前記金属箸の凹槽部は、先ずラフ面処理、或いは粘着層処理を行い、これにより前記滑り止め部品は、前記凹槽部に緊密に固定して設置され、
前記滑り止め部品は、食品レベルシリコン、耐熱シリコン、或いは熱塑性プラスチックの耐熱高分子材料で、−４０℃から２６０℃までの温度に耐えることができることを特徴とする箸の構造。
【請求項５】
請求項１記載の箸の構造において、前記凹槽部と前記滑り止め部品は、相対して取り囲む形態で設置し、前記滑り止め部品中央には、前記金属箸部分が露出することを特徴とする箸の構造。
【請求項６】
箸の構造は、金属箸を備え、前記金属箸は、ステンレス材質で、
前記金属箸の挟み取り区域には、アーク放電の方式により形成する複数の突出顆粒を設置することを特徴とする箸の構造。
【請求項７】
請求項６記載の箸の構造において、前記金属箸の握り持ち区域には、複数の凹槽部を設置し、前記凹槽部には、滑り止め部品を設置し、
前記滑り止め部品は、耐熱高分子材料で、前記滑り止め部品は、モールドにより射出成型し、或いはモールド熱プレス成型により前記凹槽部を形成し、
しかも、前記滑り止め部品は、前記金属箸の同一横方向断面上において、局部に設置され、或いは隣接する滑り止め部品間には相互に間隙を備え、
前記金属箸の頂点端には、斜め切り部分を備えることを特徴とする箸の構造。
【請求項８】
請求項６記載の箸の構造において、前記金属箸の握り持ち区域は、方形を呈し、
前記凹槽部は、縦方向の棒状を呈し、前記金属箸の方形部分の角に形成することを特徴とする箸の構造。
【請求項９】
請求項６記載の箸の構造において、前記金属箸の凹槽部は、先ずラフ面処理、或いは粘着層処理を行い、これにより前記滑り止め部品は、前記凹槽部に緊密に固定して設置され、
前記滑り止め部品は、食品レベルシリコン、耐熱シリコン、或いは熱塑性プラスチックの耐熱高分子材料で、−４０℃から２６０℃までの温度に耐えることができることを特徴とする箸の構造。
【請求項１０】
請求項６記載の箸の構造において、前記凹槽部と前記滑り止め部品は、相対して取り囲む形態で設置し、前記滑り止め部品中央には、前記金属箸部分が露出することを特徴とする箸の構造。
【考案の詳細な説明】
【技術分野】
【０００１】
本考案は箸の構造に関し、特に金属箸に滑り止め効果を持たせることで、持ち易く、しかも食物を挟み取り易くすることができる箸の構造に関する。
【背景技術】
【０００２】
食は生活の基本であり、最重要事項でもある。東洋人は食事に箸を用いる習慣であるため、箸は東洋人の日常生活にとって、なくてはならない食器具の一つであると言える。
【０００３】
一方、箸は種類が多く、しかも時と共に変化している。近代に大流行した使い捨て箸は、環境保護意識の台頭と共に、使用を控えるよう呼びかけられるようになり、今では徐々に繰り返し使用する伝統的なタイプの箸に戻りつつある。
従来の繰り返し使用型の箸は、材料で分ければ、木質(竹を含む)、プラスチック、金属などがある。しかし、各材質の箸は、食物を挟み取るという機能を達成することはできるが、やはり欠点が存在している。例えば、木質(竹)の箸は、湿度が高ければカビが生え、しかも木質箸の中には、表面に、塗料(色)を塗布したものもあるが、塗料は、使用に従い、薄くなり、或いは脱落し、食事に用いるには安全に疑念が残る。
さらに、プラスチック箸は、通常質感が悪く、現代人の食器具に対する質感のニーズを満たすことは難しく、しかもプラスチック箸は、熱により変形し易いため、現代の高温殺菌洗浄設備には適しておらず、理想的な材質とは言えない。
さらに、金属箸(ステンレスなど)は質感も良く、現代の高温殺菌洗浄設備にも適しているが、滑り易いため、持ちにくく、食物を挟み取り難いという欠点がある。
【０００４】
上記した材質の箸の中では、金属(ステンレス)箸が比較的理想に近いと言える。そのため、金属(ステンレス)箸の既存の欠点を解決し、積極的に改良を加え、使用において完璧な程度まで高めることが、業界関係者の課題である。
【考案の概要】
【考案が解決しようとする課題】
【０００５】
本考案の目的は、金属箸に、使用における滑り止め効果を持たせ、持ち易くし、しかも滑り易く食物を挟み取り難いという欠点を改善し、実用性、安全性、質感を理想的な程度まで高めた箸の構造を提供することである。
【課題を解決するための手段】
【０００６】
上述の目的を解決するため、本考案は下記の箸の構造を提供する。
箸の構造は、金属箸を備え、該金属箸は、ステンレス材質で、該金属箸の握り持ち区域には、複数の凹槽部を設置し、該凹槽部には、滑り止め部品を設置し、該滑り止め部品は、耐熱高分子材料で、モールドにより射出成型し、或いはモールド熱プレス成型により該凹槽部を形成し、該金属箸の挟み取り区域には、アーク放電の方式により形成する複数の突出顆粒を設置する。
【考案の効果】
【０００７】
本考案の箸の構造は、金属箸に、使用における滑り止め効果を持たせ、持ち易くし、しかも滑り易く食物を挟み取り難いという欠点を改善し、実用性、安全性、質感を理想的な程度まで高めることができる。
【図面の簡単な説明】
【０００８】
【図１】本考案第一実施例の立体局部分解表示図である。
【図２】本考案第一実施例の分離可能な組合せ設置の表示図である。
【図３】本考案第二実施例の使用表示図である。
【図４】本考案第三実施例の分解表示図である。
【図５】本考案第四実施例の横方向断面表示図である。
【考案を実施するための形態】
【０００９】
図１に示すように、本考案箸の構造の第一実施例は、金属箸１０を備える。
金属箸１０中、上方の握り持ち区域は、方形(或いは、他の形状)を呈し、そこには、複数の凹槽部１１を設置する。凹槽部１１には、滑り止め部品１２を設置する。滑り止め部品１２は、食品レベルシリコン(シリコンゴム)、耐熱シリコン(シリコンゴム)、或いは熱塑性プラスチック(ＴＰＵ)などの耐熱高分子材料で、−４０℃から２６０℃までの温度に耐えることができる。
【００１０】
金属箸１０下方の挟み取り区域は、円い棒状を呈し、複数の突出顆粒１３を設置する。突出顆粒１３は、アーク放電の方式(或いは、他の方式)により、金属箸１０上に成型する。実施例では、金属箸１０はステンレス材質である。
凹槽部１１は、縦方向の棒状を呈し、金属箸１０の方形部分の角に形成する。しかも、滑り止め部品１２は、金属箸１０に相対して、設置面の局部の形状(設置面の環状形態ではなく)を呈する。これにより、滑り止め部品１２は、横から被せる方式(緩み易い)ではなく、凹槽部１１に相対させて嵌め入れる方式により設置する。これにより、滑り止め部品１２は、金属箸１０の同一横方向断面上において、局部に設置され、或いは隣接する滑り止め部品１２間には相互に間隙を備え、こうして箸を縦方向に洗浄する際の妨げとなることを回避することができる。さらに、凹槽部１１に嵌めて入れる滑り止め部品１２は、モールドにより射出成型し、或いはモールド熱プレス成型により形成する。適当な実施方式では、金属箸１０の凹槽部１１は、先ずラフ面処理、或いは粘着層の処理(図示なし)を行い、これにより滑り止め部品１２は、凹槽部１１に緊密に固定して設置される。
【００１１】
本考案の金属箸１０を使用する時には、滑り止め部品１２の設置により、金属箸１０は、滑り止め効果を備え、持ち易くなる。しかも同時に、複数の突出顆粒１３により、金属箸１０は食物を挟み取り易くなり、極めて高い実用性を達成することができる。
【００１２】
図２に示すように、金属箸１０はさらに、組み立て方式により実施することができる。金属箸１０は、第一箸部分１０Ａ、第二箸部分１０Ｂ、第三箸部分１０Ｃからなる。第一、第二、第三箸部分１０Ａ、１０Ｂ、１０Ｃの相互間は、螺接、或いは挿入接続方式により組合せ、こうして分解して収納し、携帯の便を図ることができる。
【００１３】
図３に示すように、本考案箸の構造の第二実施例は、第一実施例の構造に基づき、基本的に、凹槽部２１、滑り止め部品２２、突出顆粒(図示なし)の相対的な構成、設置方式、材料などを備える。両者の差異は、金属箸２０の中、上方の握り持ち区域が、三角形を呈することである。金属箸２０は同様に、分段されて組合せ可能な、第一箸部分２０Ａ、第二箸部分２０Ｂ、第三箸部分２０Ｃからなり、分解して収納し、携帯の便を図ることができる。
【００１４】
図４に示すように、本考案箸の構造の第三実施例は、第一実施例の構造に基づき、基本的に、凹槽部３１、滑り止め部品３２、突出顆粒(図示なし)の相対的な構成、設置方式、材料などを備える。両者の差異は、金属箸３０の中、上方の握り持ち区域が、円柱形を呈することである。凹槽部３１と滑り止め部品３２は、円状形を呈し、相対し嵌めて入れ、組み合わせる。同様に、滑り止め部品３２は、金属箸３０の同一横方向断面上において、被せる方式で金属箸３０上に設置するのではなく、局部設置を呈し、或いは隣接する滑り止め部品３２間には相互に間隙を備える。さらに、金属箸３０は、第一箸部分３０Ａ、第二箸部分３０Ｂの２段階式組合せ形態を呈する。
【００１５】
図５に示すように、本考案箸の構造の第四実施例は、第一実施例の構造に基づき、基本的に、凹槽部４１、滑り止め部品４２、突出顆粒(図示なし)の相対的な構成、設置方式、材料などを備える。両者の差異は、金属箸４０の中、上方の握り持ち区域が、円柱形を呈し、しかも金属箸４０の頂点端には、斜め切り部分４４を備えることである。斜め切り部分４４は、食物を簡単に切り離し、剥離する作用を備える。凹槽部４１と滑り止め部品４２は、相対して取り囲む形態で設置し、滑り止め部品４２中央には、金属箸４０部分が露出する。同様に、滑り止め部品４２は、金属箸４０の同一横方向断面上において、被せる方式で金属箸４０上に設置するのではなく、局部設置を呈し、或いは隣接する滑り止め部品４２間には相互に間隙を備える。さらに、金属箸４０は、第一箸部分４０Ａ、第二箸部分４０Ｂの２段階式組合せ形態を呈する。
【００１６】
上記の本考案の金属箸は、一定の形状に限定するものではなく、凹槽部と滑り止め部品も一定の形状に限定するものではない。また、本考案の箸の構造は、上記した構成により、金属箸に、使用における滑り止め効果を持たせ、持ち易くし、しかも滑り易く食物を挟み取り難いという欠点を改善し、実用性、安全性、質感を理想的な程度まで高めたものである。
【符号の説明】
【００１７】
１０  金属箸
１１  凹槽部
１２  滑り止め部品
１３  突出顆粒
１０Ａ  第一箸部分
１０Ｂ  第二箸部分
１０Ｃ  第三箸部分
２０  金属箸
２１  凹槽部
２２  滑り止め部品
２０Ａ  第一箸部分
２０Ｂ  第二箸部分
２０Ｃ  第三箸部分
３１  凹槽部
３２  滑り止め部品
３０Ａ  第一箸部分
３０Ｂ  第二箸部分
４０  金属箸
４１  凹槽部
４２  滑り止め部品
４４  斜め切り部分
４０Ａ  第一箸部分
４０Ｂ  第二箸部分
【図１】
0003165930.tif 000003
【図２】
0003165930.tif 000004
【図３】
0003165930.tif 000005
【図４】
0003165930.tif 000006
【図５】
0003165930.tif 000007